(57)【要約】【課題】コストが安価で，配線のしやすい複合同軸ケーブルを提供する。【解決手段】内部導体と，内部絶縁体と，外部導体とを有する２つの同軸ユニットを，互いに並列した状態に配置し，これらを外部絶縁体により一体に連結してなる複合同軸ケーブルにおいて，一方の同軸ユニットは，この複合同軸ケーブルを介して伝送する伝送周波数帯における低域側の第１周波数帯用であり，他方の同軸ユニットは，この複合同軸ケーブルを介して伝送する伝送周波数帯である第２周波数帯用であり，前記一方の同軸ユニットを通過する前記第１周波数帯内の第１所定周波数Ｆ１（ＭＨｚ）における単位長当たりの通過損失α１と，前記他方の同軸ユニットを通過する前記第２周波数帯内の前記第１の周波数帯より高い第２所定周波数Ｆ２（ＭＨｚ）における単位長当たりの通過損失α２と，が略等しいように構成した。【選択図】  図１
2006185609.tif 000002
【特許請求の範囲】
【請求項１】
内部導体と，内部絶縁体と，外部導体とを有する２つの同軸ユニットを，互いに並列した状態に配置し，これらを外部絶縁体により一体に連結してなる複合同軸ケーブルにおいて，
一方の同軸ユニットは，この複合同軸ケーブルを介して伝送する伝送周波数帯における低域側の第１周波数帯用であり，
他方の同軸ユニットは，この複合同軸ケーブルを介して伝送する伝送周波数帯である第２周波数帯用である，ように形成したことを特徴とした複合同軸ケーブル。
【請求項２】
前記一方の同軸ユニットを通過する前記第１周波数帯内の第１所定周波数における単位長当たりの通過損失と，
前記他方の同軸ユニットを通過する前記第２周波数帯内の前記第１の周波数帯より高い第２所定周波数における単位長当たりの通過損失と，が略等しいように構成したことを特徴とした請求項１に記載の複合同軸ケーブル。
【請求項３】
前記一方の同軸ユニットは，特性インピーダンスが７５Ωであって，内部絶縁体の外形寸法は２．０〜３．９ｍｍであり，
前記他方の同軸ユニットは，特性インピーダンスが７５Ωであって，内部絶縁体の外形寸法は４．８〜７．６ｍｍである,
ことを特徴とした請求項１又は請求項２に記載の同軸複合ケーブル。
【請求項４】
周波数帯の異なる２つの電波を受信し，建造物内に伝送線を介して引き込むように構成されたテレビ共同受信システムにおいて，
前記伝送線は請求項３に記載の複合同軸ケーブルであって，
受信した信号の低域側の周波数帯の信号は，前記一方の同軸ユニットを用いて引き込み，
受信した信号の高域側の周波数帯の信号は，前記他方の同軸ユニットを用いて引き込む，
ように構成したことを特徴としたテレビ共同受信システム。
【請求項５】
周波数帯の異なる２つの電波を受信し，建造物内に伝送線を引き込むための配線方法において，
アンテナと建造物内との間に介設する前記伝送線は，請求項１乃至請求項３の何れかに記載の複合同軸ケーブルであって，
受信した信号の低域側の周波数帯の信号は，前記一方の同軸ユニットを用いて引き込み，
受信した信号の高域側の周波数帯の信号は，前記他方の同軸ユニットを用いて引き込む，
ように構成したことを特徴とした配線方法。
【発明の詳細な説明】
【技術分野】
【０００１】
本発明は，主にテレビ共同受信システムに利用される複合同軸ケーブルに関し，詳しくは受信アンテナからの信号を建造物内に引き込むために使用される複合同軸ケーブルに関する。
【背景技術】
【０００２】
従来，携帯電話用アンテナ基地局の，アンテナと基地局装置とを結ぶアンテナ給電線は送信用と受信用それぞれ一本ずつ，あわせて２本１組で使用されている。これに対して互いに並列配置された複数の同軸ユニットの外周を，結合被覆で全長に亘って覆うように形成した複合同軸ケーブルが提供され，これによって２本の同軸ケーブルが並列した状態に結合されていることになり，複数の同軸ケーブルのように扱うことができ，効率的な布設作業が可能となっていた。
更に，アンテナの送受信エリアや，アンテナと基地局の関係によって，同軸ケーブルの外形を変化させたい場合などがあり，これに対応するために径の異なる同軸ユニットを，例えば２本配列したものが提案されている。即ち送受信エリアが小さい場合は送信電力を押えることができるので，細径の同軸ユニットでもよかったり，アンテナと基地局の距離が短い場合は同軸ユニットによる伝送損失も小さいので，細径の同軸ケーブルでもよかったりし，このようなシステムの要求に対応可能なように構成されていた。
（例えば，特許文献１参照）
【０００３】
【特許文献１】特開平２００２−３１９３２０号公報
【発明の開示】
【発明が解決しようとする課題】
【０００４】
しかし，携帯電話に用いられる周波数帯は例えば８００ＭＨｚ帯や１，５ＧＨｚ帯であり，比帯域としてはあまり広くないものであるので，前記使用周波数帯におけるケーブルロスだけを考慮して複合同軸ケーブルを配設すれば問題がなかった。
ところがテレビ共同受信システムにおいては，地上アナログ放送のＶＨＦ帯やＵＨＦ帯に加えて，最近開始された地上ディジタル放送のＵＨＦ帯が有り，更に加えてＢＳ衛星やＣＳ衛星などの衛星放送からの信号を受信アンテナで受信し，該受信信号を受信アンテナに備えた衛星コンバーターにおいて中間周波数帯であるＢＳ−ＩＦ帯やＣＳ−ＩＦ帯に周波数変換した信号までを含めて，広帯域に亘る周波数帯の信号を伝送しなければならない。ところでこれらの信号は受信機毎に望ましい入力レベルがあるので，それぞれの周波数帯についてケーブル等の通過損失を考慮しなければならないといった問題があった。
具体的に言えば，地上波を受信すると共に，衛星放送であるＢＳ・１１０°ＣＳ放送を受信する場合を考えると，７０〜２０７２ＭＨｚ（衛星アンテナの局発周波数が１０．６７８ＧＨｚの場合）までに亘る広帯域な周波数帯を低損失に通過する高周波特性に優れた同軸ケーブルが求められるのである。
つまりこの例に示すような地上波と衛星放送とを受信する場合には，受信機（例えばテレビ受信機，地上波ディジタルチューナ，ＢＳ・１１０°ＣＳディジタルチューナー）夫々に最適な受信入力レベルが決められているので，システムを構築する時にそれぞれの周波数帯域について，テレビ端子の出力レベルが所定レベルとなるように検証しておく必要があるのである。
そこで本願においては，こうした問題点を解決するためになされたものであり，
その目的は，コストの安価な複合同軸ケーブルを提供することにある。
他の目的は，外形形状の小さい複合同軸ケーブルを提供することにある。
他の目的は，配線工事のやり易い複合同軸ケーブルを提供することにある。
他の目的は，コストの安価なテレビ共同受信システムを提供することにある。
他の目的は，外形形状の小さいテレビ共同受信システムを提供することにある。
他の目的は，配線工事のやり易いテレビ共同受信システムを提供することにある。
他の目的は，コストの安価な配線方法を提供することにある。
他の目的は，外形形状の小さい配線方法を提供することにある。
他の目的は，配線工事のやり易い配線方法を提供することにある。
【課題を解決するための手段】
【０００５】
上記課題を解決するために，請求項１の発明は，内部導体と，内部絶縁体と，外部導体とを有する２つの同軸ユニットを，互いに並列した状態に配置し，これらを外部絶縁体により一体に連結してなる複合同軸ケーブルにおいて，
一方の同軸ユニットは，この複合同軸ケーブルを介して伝送する伝送周波数帯における低域側の第１周波数帯用であり，他方の同軸ユニットは，この複合同軸ケーブルを介して伝送する伝送周波数帯である第２周波数帯用である，ように形成した。
【０００６】
請求項２の発明は，請求項１に記載の複合同軸ケーブルにおいて，前記一方の同軸ユニットを通過する前記第１周波数帯内の第１所定周波数における単位長当たりの通過損失と，
前記他方の同軸ユニットを通過する前記第２周波数帯内の前記第１の周波数帯より高い第２所定周波数における単位長当たりの通過損失と，が略等しいように構成した。
【０００７】
請求項３の発明は，請求項１又は請求項２に記載の同軸複合ケーブルにおいて，前記一方の同軸ユニットは，特性インピーダンスが７５Ωであって，内部絶縁体の外形寸法は２．０〜３．９ｍｍであり，前記他方の同軸ユニットは，特性インピーダンスが７５Ωであって，内部絶縁体の外形寸法は４．８〜７．６ｍｍであるように構成した。
【０００８】
請求項４の発明は，周波数帯の異なる２つの電波を受信し，建造物内に伝送線を介して引き込むように構成されたテレビ共同受信システムにおいて，
前記伝送線は請求項３に記載の複合同軸ケーブルであって，受信した信号の低域側の周波数帯の信号は，前記一方の同軸ユニットを用いて引き込み，受信した信号の高域側の周波数帯の信号は，前記他方の同軸ユニットを用いて引き込む，ように構成したことを特徴としたテレビ共同受信システム。
【０００９】
請求項５の発明は，周波数帯の異なる２つの電波を受信し，建造物内に伝送線を介して引き込むための配線方法において，
アンテナと建造物内との間に介設する前記伝送線は，請求項１乃至請求項３の何れかに記載の複合同軸ケーブルであって，受信した信号の低域側の周波数帯の信号は，前記一方の同軸ユニットを用いて引き込み，受信した信号の高域側の周波数帯の信号は，前記他方の同軸ユニットを用いて引き込む，ように構成したことを特徴とした配線方法。
【発明の効果】
【００１０】
上記課題を解決するために，請求項１の発明によれば，内部導体と，内部絶縁体と，外部導体とを有する２つの同軸ユニットを，互いに並列した状態に配置し，これらを外部絶縁体により一体に連結してなる複合同軸ケーブルにおいて，
一方の同軸ユニットは，この複合同軸ケーブルを介して伝送する伝送周波数帯における低域側の第１周波数帯用であり，他方の同軸ユニットは，この複合同軸ケーブルを介して伝送する伝送周波数帯である第２周波数帯用である，ように伝送帯域を区分して使用するように形成したので，
それぞれの信号を伝送する同軸ケーブル（即ち，前記一方の同軸ユニットと他方の同軸ユニット）の伝送帯域を異なるものとなるように構成した複合同軸ケーブルを提供でき，これによってコストが安価にできたり，外形寸法を小さくできたりするのである。
つまり，例えば地上放送と衛星放送とを受信する場合を考えた場合，地上放送を受信する地上放送用アンテナの出力周波数帯は最大７７０ＭＨｚであり，またＢＳ・１１０°ＣＳ放送を受信する衛星放送用アンテナの出力周波数帯は１０３２〜２０７２ＭＨｚ（衛星アンテナの局発周波数が１０．６７８ＧＨｚの場合）である事から，この複合同軸ケーブルを構成する一方の同軸ユニットは，特に全ての帯域に亘って良好な特性を有する必要がなく，７７０ＭＨｚまで対応するような構成にされておればよく，また，他方の同軸ユニットは，２１５０ＭＨｚまでの全ての帯域に亘って対応するように構成しておけば，一方の同軸ユニットのコスト削減や外形寸法の小型化ができ，延いては複合同軸ケーブルを安価にできたり，外形寸法を小さくできたりするのである。
【００１１】
請求項２の発明によれば，請求項１に記載の複合同軸ケーブルにおいて，前記一方の同軸ユニットを通過する前記第１周波数帯内の第１所定周波数における単位長当たりの通過損失と，
前記他方の同軸ユニットを通過する前記第２周波数帯内の前記第１の周波数帯より高い第２所定周波数における単位長当たりの通過損失と，が略等しいように構成したので，
複合同軸ケーブルの一方の同軸ユニットと他方の同軸ユニットとの構成が異なる伝送特性を有したものであっても，減衰量の計算が直感的に簡単にできる複合同軸ケーブルを提供できるのである。
つまり，例えば地上放送と衛星放送とを受信する場合を考えると，地上放送を受信する地上放送用アンテナの出力周波数帯である最大７７０ＭＨｚまでの周波数帯域における所定周波数（例えば７７０ＭＨｚ）と，ＢＳ・１１０°ＣＳ放送を受信する衛星放送用アンテナの中間周波数帯の出力である１０３２〜２０７２ＭＨｚ（衛星アンテナの局発周波数が１０．６７８ＧＨｚの場合）の周波数帯域における所定周波数（例えば１８００ＭＨｚ）との単位長あたりの減衰量が略同じとなるよう，一方の同軸ユニットと他方の同軸ユニットを構成しておくことによって，ユーザーはアンテナからテレビ端子までの同軸ケーブルの寸法が分かれば，ＵＨＦ帯の端末レベル，中間周波数帯の端末レベルが同じ減衰量を用いて直感的に計算できるので概略のレベル計算が簡単にでき，配線工事の手間が省けるのである。
【００１２】
請求項３の発明によれば，請求項１又は請求項２に記載の同軸複合ケーブルにおいて，前記一方の同軸ユニットは，特性インピーダンスが７５Ωであって，内部絶縁体の外形寸法は２．０〜３．９ｍｍであり，前記他方の同軸ユニットは，特性インピーダンスが７５Ωであって，内部絶縁体の外形寸法は４．８〜７．６ｍｍであるように構成したので，一般的にアンテナやテレビ端子等のテレビ共同受信機器に対して汎用性の高い複合同軸ケーブルを提供できるのである。
【００１３】
請求項４の発明によれば，周波数帯の異なる２つの電波を受信し，建造物内に伝送線を介して引き込むように構成されたテレビ共同受信システムにおいて，
前記伝送線は請求項１若しくは請求項２の複合同軸ケーブルであって，受信した信号の低域側の周波数帯の信号は，前記一方の同軸ユニットを用いて引き込み，受信した信号の高域側の周波数帯の信号は，前記他方の同軸ユニットを用いて引き込む，ように構成したので，
それぞれの信号を伝送する同軸ケーブル（即ち，前記一方の同軸ユニットと他方の同軸ユニット）の伝送帯域を異なるものとなるように構成した複合同軸ケーブルを用いて，それぞれの同軸ユニットに適した信号を伝送可能なテレビ共同受信システムが構成でき，これによってケーブルはコストが安価となると共に，外形寸法を小さくした場合は建造物内への引き込みが容易となる作業性のよいテレビ共同受信システムが提供できる。
更に加えて，複合同軸ケーブルの一方の同軸ユニットと他方の同軸ユニットとの構成が異なる伝送特性を有したものであっても，一方の同軸ユニットを通過する周波数帯の所定周波数と，他方の同軸ユニットを通過する周波数帯の所定周波数との単位長当たりの減衰量が同じであるように構成されていることによって，減衰量の計算が直感的に簡単にでき，端末レベルの計算が容易なテレビ共同受信システムが提供できるのである提供できるのである。
【００１４】
請求項５の発明によれば，周波数帯の異なる２つの電波を受信し，建造物内に伝送線を介して引き込むための配線方法において，
アンテナと建造物内との間に介設する前記伝送線は，請求項１乃至請求項３の何れかに記載の複合同軸ケーブルであって，受信した信号の低域側の周波数帯の信号は，前記一方の同軸ユニットを用いて引き込み，受信した信号の高域側の周波数帯の信号は，前記他方の同軸ユニットを用いて引き込む，ように構成したので，
簡単且つ安価にそれぞれの伝送帯域に適した同軸ケーブルを通してテレビ端子との間を接続できる配線方法を提供できる。
また，テレビ端子におけるそれぞれの周波数帯域の端末レベルが簡単に計算できる配線方法を提供できる。
【発明を実施するための最良の形態】
【００１５】
以下に，本発明を具体化した実施形態の例を，図面を基に詳細に説明する。
図１（ａ）は本願に係る複合同軸ケーブルの断面図であり，（ｂ）は単位長当たりの減衰量を示す表の一部を示す。図２は同軸ケーブルの減衰量を求める計算式である。図３は（ａ）本願に係る複合同軸ケーブルの他の実施例であり，（ｂ）はこの複合同軸ケーブルの単位長当たりの減衰量を示す表の一部を示す。図４は本願に係る複合同軸ケーブルを用いて配線したテレビ共同受信システムである。
【実施例１】
【００１６】
図１（ａ）において１は本願に係る複合同軸ケーブルを示す。この複合同軸ケーブルは内部導体２，内部絶縁体３，外部導体４とから成る同軸ユニット１Ａと，内部導体６，内部絶縁体７，外部導体８とから成る同軸ユニット１Ｂと，をそれぞれ並行に配設して外部絶縁体５，９によって被覆されている。この外部絶縁体５，９は一体的に形成されても良いし，別体で形成されたものを所定の方法で接続してもよい。
尚，この図１（ａ）においてａ１，ａ２は内部導体の外形寸法であり，ｂ１，ｂ２は外部導体の内径寸法である。従ってこの複合同軸ケーブル１は異なる線径の同軸ケーブルからなり，図１（ｂ）に示す表から分かるように，一方の同軸ケーブル１Ａは，対応する周波数が最大Ｆ１（ＭＨｚ），他方の同軸ケーブル１Ｂは，対応する周波数が最大Ｆ２（ＭＨｚ）で，且つＦ１（ＭＨｚ）＜Ｆ２（ＭＨｚ）となるように構成されており，それぞれの同軸ケーブルは異なる周波数帯に対応するように構成されている。尚，図１（ｂ）はこの複合同軸ケーブル１における同軸ケーブル１Ａと同軸ケーブル１Ｂの単位長当たりの減衰量を示す表の一部を示しており，同軸ケーブル１ＡのＦ１（ＭＨｚ）における減衰量がα１，同軸ケーブル１ＢのＦ２（ＭＨｚ）（Ｆ２＞Ｆ１）における減衰量がα２であることを示している。
このように，異なる線径の同軸ケーブルを並列に配設して複合同軸ケーブル１を構成したので，線径が同じ物を並べた複合同軸ケーブルに比べて，外形寸法が小型になると共に，一方の同軸ケーブルのコストを安価にすることができ，延いては複合同軸ケーブル１としてのコストが安くなるのである。
【００１７】
次に，同軸ケーブルの通過損失について説明をしながら，本願に係る複合同軸ケーブルの異なる実施例について説明する。この異なる実施例の複合同軸ケーブル１０は，同軸ケーブル１０ＡのＦ１（ＭＨｚ）における減衰量α１と，同軸ケーブル１０ＢのＦ２（ＭＨｚ）（Ｆ２＞Ｆ１）における減衰量α２とが略同じ値となるように構成された物である。
同軸ケーブルの通過損失は図２に示す式（１）と式（２）によって一般的に求められる。この式（１）において，Ｚ０は同軸ケーブルの特性インピーダンスであり，本願の実施例の場合Ｚ０＝７５Ωである。またεｒは内部絶縁体の実効比誘電率であって，内部絶縁体がポリエチレン（ＰＥ）であればεｒ＝略２．３，発砲ポリエチレン（ＰＥＦ）であればεｒ＝略１．５であることから，式（１）によって内部導体の外形寸法ａと外部導体の内径寸法ｂとの関係（ｂ／ａ）が求められる。
【００１８】
【数１】
2006185609.tif 000003
【００１９】
次に式（２）は通過損失αを示す式である。この式においてｋ１，ｋ２は内部導体及び外部導体の導電率係数であり，例えば内部導体が銅単線の場合はｋ１＝１，外部導体がアルミの場合はｋ２＝１．２８である。次にｔａｎδは内部絶縁体の実効誘電力率であり，例えばｔａｎδ＝０．０００２程度であることから，任意の周波数ｆ（ＭＨｚ）における通過損失αと内部導体の外形寸法ａと外部導体の内径寸法ｂとの関係が求められる。
従って，例えばここに示す複合同軸ケーブル１０においては，一方の同軸ケーブル１０Ｂの所定周波数Ｆ２（ＭＨｚ）における単位長当たりの減衰量α２を定めれば，他方の同軸ケーブル１０Ａの所定周波数Ｆ１（ＭＨｚ）における単位長あたりの減衰量α１が，前記減衰量α２と同じとなるような同軸ケーブル１０Ａにおける内部導体の外形寸法ａ１と外部導体の内径寸法ｂ１の関係が求められる。
【００２０】
【数２】
2006185609.tif 000004
【００２１】
具体的に説明する。尚，同軸ケーブル１０Ｂ，１０Ａ共に，内部絶縁体の材料は発砲ポリエチレン（ＰＥＦ），外部導体は内側からアルミ箔と銅編組とから成る同じ構成とする。
本願の実施例では，同軸ケーブル１０ＡはＵＨＦ帯までを対応させれば良いので，同軸ケーブル１０Ａの対応可能な周波数は７７０ＭＨｚまででよく，この周波数の内の所定周波数Ｆ１（ＭＨｚ）を７７０ＭＨｚとし，式（２）にｆ＝７７０ＭＨｚ，ｋ１＝１．０，ｋ２＝１．２８，εｒ＝１．５，ｔａｎδ＝０．０００２を代入する。これによって同軸ケーブル１０Ａの通過損失α１と内部導体の外形寸法ａと外部導体の内径寸法ｂの関係を求める。
【００２２】
同軸ケーブル１０Ｂは一般的に知られている５Ｃ−ＦＢ相当を用いるとする。この同軸ケーブルは２１５０ＭＨｚまで対応可能であり，この周波数の内の所定周波数Ｆ２（ＭＨｚ）を１８００ＭＨｚとする。一般的に同軸ケーブル１０Ｂを構成する５Ｃ−ＦＢ相当の構造は，内部導体の外形寸法ａ２は１．０５ｍｍであり，外部導体の内径寸法ｂ２は５．０ｍｍである。従って式（２）より１８００ＭＨｚ（Ｆ２（ＭＨｚ））における単位長当たりの減衰量α２の理論値はα２≒２８６．５（ｄＢ／ｋｍ）となる。
この複合同軸ケーブル１０では前項で述べた同軸ケーブル１０Ａの７７０ＭＨｚ（Ｆ１（ＭＨｚ））における単位長当たりの減衰量α１が前記減衰量α２と同じになるようにすれば良いので，式（２）から同軸ケーブル１０Ａの内部導体の外形寸法ａ１と外部導体の内径寸法ｂ１の関係が求められる。この結果と，式（１）により求められるｂ１／ａ１の結果（略４．６２）とから，ｂ１≒２．９２ｍｍ，ａ１≒０．６３ｍｍが求められる。
【００２３】
即ち，本願の異なる実施例によれば，一方の同軸ケーブル１０Ｂは例えば２１５０ＭＨｚまで対応可能な同軸ケーブル，例えば５Ｃ−ＦＢ（内部導体の外径寸法＝１．０５ｍｍ，外部導体の内径寸法＝５ｍｍ，内部絶縁体はＰＥＦ）相当の同軸ケーブルと，他方の同軸ケーブル１０Ａは例えば７７０ＭＨｚまで対応可能な同軸ケーブル（内部導体の外径寸法＝０．６３ｍｍ，外部導体の内径寸法＝２．９２ｍｍ，内部絶縁体はＰＥＦ）からなる，異なる周波数帯に対応する同軸ケーブルの組み合わせから複合同軸ケーブル１０が構成されており，この複合同軸ケーブル１０の単位長当たりの減衰量は，同軸ケーブル１０Ｂにおける例えば１８００ＭＨｚ（Ｆ２（ＭＨｚ））においても，同軸ケーブル１０Ａにおける例えば７７０ＭＨｚ（Ｆ１（ＭＨｚ））においても略同じ減衰量を持つことになる。
尚，本願の実施形態によれば，同軸ケーブル１Ａが対応する周波数Ｆ１（ＭＨｚ）及び同軸ケーブル１０Ａが対応している周波数帯（例えば１０〜７７０ＭＨｚ）が請求項に記載の第１周波数帯の信号であり，この内のＦ１（ＭＨｚ）及び７７０ＭＨｚが請求項に記載の第１所定周波数である。また同軸ケーブル１Ｂが対応するＦ２（ＭＨｚ）及び同軸ケーブル１０Ｂが対応している周波数帯（例えば１０〜２１５０ＭＨｚ）が請求項に記載の第２周波数帯を示し，この第２周波数帯の信号であって，前記第１所定周波数帯より高い周波数であるＦ２（ＭＨｚ）及び１８００ＭＨｚが第２所定周波数である。
【００２４】
次に，減衰量が略同じ値を有する複合同軸ケーブルの異なる構成例を図３に基づいて説明する。この同軸複合ケーブル２０は第１周波数帯用の同軸ケーブル２０Ａと第２周波数帯用の同軸ケーブル２０Ｂとから成り，それぞれ内部導体の材料と外部導体の構成とを異ならせたものであり，本願の実施例では同軸ケーブル２０Ａは３Ｃ−ＦＶ相当を用い，同軸ケーブル２０Ｂは５Ｃ−ＦＢ相当を用いたものである。この同軸ケーブル２０Ａは内部導体２２の外形寸法ａ＝０．５ｍｍ，外部導体２４の内径寸法ｂ＝３．１ｍｍの銅編組，内部絶縁体２３の材料はポリエチレン（ＰＥ）からなる。この実施例においては，同軸ケーブル２０Ａは７７０ＭＨｚ対応であり，例えば７７０ＭＨｚにおける一般的な製品の単位長当たりの標準減衰量は略３２０（ｄＢ／ｋｍ）を示す。また，同軸ケーブル２０Ｂは２１５０ＭＨｚ対応であり，この周波数範囲における例えば１８００ＭＨｚにおける一般的な製品の単位長当たりの標準減衰量は略３１（ｄＢ／ｋｍ）を示し，これらの同軸ケーブルからなる複合同軸ケーブル２０は長さが同じならば殆ど同じ減衰量を持つことになる。
この３Ｃ−２Ｖ相当品は内部絶縁体２３がポリエチレン（ＰＥ）であり，外部導体２４が銅編組だけで構成されているので，内部絶縁体に発砲ポリエチレン（ＰＥＦ）を用い，外部導体にアルミ箔と銅編祖からなる二重のシールド性を備えた前記実施例より更にコスト的に安価に作成できるのである。
【００２５】
以上のように本願の複合同軸ケーブルは，低域だけを通過させればよいように構成された第１周波数帯用の同軸ユニットと，この第１周波数帯を含む広帯域な帯域を通過させることができるように構成された第２周波数帯用の同軸ユニットと，から成る周波数帯の使い分けの区分を明確にした，それぞれの周波数帯域を伝送するに足りる周波数特性を有した同軸ケーブルによって構成したので，テレビ共同受信システムのように，広帯域な周波数帯の中にあって，異なる周波数帯のテレビ信号をそれぞれ異なるアンテナで受信し，各アンテナの出力を同軸複合ケーブル出引き込むようなシステムに適したコストの安価な複合同軸ケーブルを作成できるのである。
更に加えて，このような複合同軸ケーブルにおいて，長さが同じであれば，第１周波数帯用の同軸ケーブルであっても，第２周波数帯用の同軸ケーブルであっても，それぞれの伝送帯域における第１所定周波数，第２所定周波数の単位長当たりの標準減衰量が略同じとなるように構成すれば，同軸ケーブルの端末におけるレベル計算が７７０ＭＨｚでも，１８００ＭＨｚのような高い周波数であっても同じ減衰量を用いて計算すればよく，端末レベルが十分であるのか不足するのかを直感的に簡単に判断できる複合同軸ケーブルを提供できるのである。
【００２６】
次に本願の複合同軸ケーブル１０を用いたテレビ受信システムの実施形態について図４を用いて説明する。
１１は地上ディジタル放送用のＵＨＦアンテナであり，４７０〜７７０ＭＨｚ帯の信号を受信するためのものである。尚，本願の受信システムでは，このＵＨＦアンテナ１１の出力である４７０〜７７０ＭＨｚ帯の信号が請求項に記載の第１周波数帯である。
１２はＢＳ・１１０°ＣＳ用の衛星アンテナであり，このアンテナにおいて受信された１２ＧＨｚ帯の信号は衛星コンバータ１２ａにおいて中間周波数帯である１０３２〜２０７２ＭＨｚ帯（局部発振周波数＝１０．６７８ＧＨｚの場合）の信号に変換されて出力される。この衛星コンバータの出力である１０３２〜２０７２ＭＨｚ帯の信号が請求項に記載の第２周波数帯である。                            
【００２７】
前記第１周波数帯の信号である４７０〜７７０ＭＨｚの信号は複合同軸ケーブル１０を構成する前記同軸ケーブル１０Ａを介して，配管１５ａから建造物１５内部に引き込まれる。前記第２周波数帯の信号である１０３２〜２０７２ＭＨｚの信号は複合同軸ケーブル１０を構成する前記同軸ケーブル１０Ｂを介して，同軸ケーブル１０Ａと一緒に配管１５ａから建造物１５内部に引き込まれ，１６に示す２系統の出力端子を備えたテレビ端子に接続される。この配線時には，一般的な２条ケーブルに比べて外形形状が小さくできているので配管１５ａ等への挿設が容易と成る。
テレビ端子１６の一方の出力端子１６ａには同軸ケーブルを介して地上ディジタル放送用チューナー１７が接続されており，テレビ端子１６の他方の出力端子１６ｂには同軸ケーブルを介してＢＳ・１１０°ＣＳ用ディジタルチューナー１８が接続されており，それぞれのディジタルチューナーはテレビ受信機１９に接続されている。
【００２８】
ここで，各ディジタルチューナーの受信機入力レベルについて考えると，地上ディジタル放送の望ましい入力レベルは，最低で４６ｄＢμとされ，同様にＢＳ−ＩＦ及びＣＳ−ＩＦでは５０ｄＢμとされている。またテレビ端子と受信機との間に介設される同軸ケーブルの通過損失を考慮すれば，テレビ端子における望ましい最低出力レベルは，ＵＨＦディジタル＝４９ｄＢμ，ＣＳ−ＩＦ＝５４ｄＢμ必要であるとされている。
従って，このようなテレビ受信システムを構築する場合は，受信する電波の種類や強度が違ったり，アンテナの利得が異なったりするので，帯域毎にテレビ端子に達するまでに介在させる機器の通過損失，分配損失，増幅利得等を考慮してレベル計算をおこない，各帯域におけるテレビ端子出力レベルが前述の望ましい値を下回らないように構成する必要があり，それぞれの帯域毎に機器の通過損失等を考慮してレベル計算する必要がある。
【００２９】
例えば図４に示すテレビ受信システムにおいて，ＵＨＦアンテナ１１の出力レベルが５５ｄＢμ，衛星アンテナの出力の内，周波数帯の高いＣＳ−ＩＦの出力レベルが７６ｄＢμとし，２０ｍの２条ケーブル１０によってテレビ端子１６に接続されている例を示す。尚，このテレビ端子１６の通過損失はＵＨＦでは略１ｄＢ，ＣＳ−ＩＦ帯では略２ｄＢとする。
ここで同軸ケーブルが２本とも例えば５Ｃ−ＦＢからなる複合同軸ケーブルである場合を考えると，ケーブルの特性表に示されたＵＨＦ帯である７７０ＭＨｚの減衰量（例えば，１８７ｄＢ／ｋｍ）と，ＣＳ−ＩＦ帯である１８００ＭＨｚの減衰量（例えば，３１０ｄＢ／ｋｍ）とを読み取り，それに基づいてそれぞれ２０ｍにおける減衰量を計算すれば，７７０ＭＨｚでは５．６１ｄＢ，１８００ＭＨｚでは９．３の通過損失となる。テレビ端子における出力レベルは，アンテナ出力レベルからケーブルの減衰量とテレビ端子の通過損失を引けば求められることになるので，この結果，テレビ端子におけるＵＨＦ帯の出力レベルは５５−３．７４−１＝５０．２６ｄＢμ，ＣＳ−ＩＦ帯の出力レベルは７６−６．２−２＝６７．８ｄＢμとなる，といった計算が必要であった。
【００３０】
また，配設工事のやり易さや，コストダウンのためだけに異なる伝送特性を有する複合同軸ケーブルを構成した場合は，それぞれの同軸ケーブルの減衰量が異なるために，それぞれの同軸ケーブルに対応した図２（ｂ）若しくは図３（ｂ）に示すような特性表から，使用する同軸ケーブルと対応させながら減衰量を読み取る手間が生じた。またこれによって表の読み取り間違いが生じ，結果的にレベル計算が正しくなく美しい画像の受信が出来ない恐れもあった。
【００３１】
そこで，上記に示す複合ケーブル１０は，並列して配設された外形寸法の異なる同軸ケーブル１０Ａ及び１０Ｂの単位長当たりの標準減衰量が略同じとなるように複合同軸ケーブル１０を構成するのである。このように構成することによる効果は，ＵＨＦ帯である７７０ＭＨｚの減衰量（例えば，３１０ｄＢ／ｋｍ）と，ＣＳ−ＩＦ帯である１８００ＭＨｚの減衰量（例えば，３１０ｄＢ／ｋｍ）とは同じと成るので，配線に使用した２０ｍにおける減衰量は，帯域が異なっても７７０ＭＨｚ，１８００ＭＨｚ共に同じ値である６．２ｄＢとなり，この結果，テレビ端子出力におけるＵＨＦ帯の出力レベルは５５−６．２−１＝４６．８ｄＢμ，ＣＳ−ＩＦ帯の出力レベルは７６−６．２−２＝６７．８ｄＢμと簡単に計算できるようになる。
このように本願の複合同軸ケーブルを用いれば，線径に対応させて特性表から減衰量を読み取る必要もないので，読み間違い等のミスが発生し難い配線方法を提供できる。また，簡単にテレビ端子における出力レベルを計算出来るので，設置工事の容易なテレビ共同受信システムを提供できるのである。
【００３２】
以上のように，複合同軸ケーブルを低域だけを通過させればよいように構成された第１周波数帯用の同軸ユニットと，この第１周波数帯絵を含む広帯域な帯域を通過させることができるように構成された第２周波数帯用の同軸ユニットとから構成し，それぞれの同軸ユニットは，周波数帯域を伝送するに足りる周波数特性を有した同軸ケーブルでよいように使用帯域を明確に区分したことから，少なくとも低域だけを通過させるための同軸ユニットは細径にしたり，材料を安価にしたりできるので，上記テレビ共同受信システムのように，広帯域な周波数帯の中の異なる周波数帯のテレビ信号を，それぞれ異なるアンテナで受信する必要がある場合のシステムにおいて，建築物内に配管する場合であっても簡単に配線する方法を提供できるばかりでなく，システムのコストが安価に実現できるのである。
更に加えて，このような複合同軸ケーブルにおいて，長さが同じであれば，第１周波数帯用の同軸ケーブルであっても，第２周波数帯用の同軸ケーブルであっても，それぞれの伝送帯域における第１所定周波数，第２所定周波数の単位長当たりの標準減衰量が略同じとなるように構成すれば，同軸ケーブルの端末におけるレベル計算がＵＨＦ帯でも，衛星コンバータの出力である中間周波数帯であっても同じ減衰量を用いて計算すればよく，端末レベルが十分であるのか不足するのかを直感的に簡単に判断できる配線方法を用いたテレビ共同受信システムを提供できるのである。
尚，本願の実施例においては第１周波数帯が７７０ＭＨｚまで，第２周波数帯は２１５０ＭＨｚまでのように使用帯域を区分したが，特にこの実施例に限定されるものではないなど，上記実施の形態に限定されるものではなく，本発明の趣旨を逸脱しない範囲で各部の構成を適宜に変更して実施することも可能である。
【図面の簡単な説明】
【００３３】
【図１】（ａ）は本願に係る複合同軸ケーブルの断面であり，（ｂ）は単位長当たりの減衰量を示す表の一部を示す。
【図２】同軸ケーブルの減衰量を求める計算式である。
【図３】（ａ）本願に係る複合同軸ケーブルの他の実施例であり，（ｂ）はこの複合同軸ケーブルの単位長当たりの減衰量を示す表の一部を示す。
【図４】本願に係る複合同軸ケーブルを用いて配線したテレビ共同受信システムである。
【符号の説明】
【００３４】
１…複合同軸ケーブル，２…内部導体，３…内部絶縁体，４ａ…外部導体（アルミ箔），４ｂ…外部導体（銅編組），５…外部絶縁体，６…内部導体，７…内部絶縁体，８ａ…外部導体（アルミ箔），８ａ…外部導体（銅編組），９…外部絶縁体，１０…複合同軸ケーブル，１１…ＵＨＦディジタルアンテナ，１２…衛星アンテナ，１２ａ…衛星コンバータ，１５…建築物，１５ａ…配管，１６…テレビ端子，１７…地上ディジタルチューナー，１８…ＢＳ・１１０°ＣＳディジタルチューナー，１９…テレビ，２０…複合同軸ケーブル，２２…内部導体，２３…内部絶縁体，２４…外部導体（銅編組），２５…外部絶縁体
【図１】
2006185609.tif 000005
【図２】
2006185609.tif 000006
【図３】
2006185609.tif 000007
【図４】
2006185609.tif 000008